(57)【要約】【課題】３個の交流電源電圧入力の監視手段を用いないで商用の電源電圧の欠相を検出する欠相検出方法を提供し、サーボドライバを小型化することにある。【解決手段】ＡＣサーボドライバ３相交流電圧を入力電源とする電源入力手段と、前記３相交流電圧を整流する整流手段と、前記整流手段による整流後の直流電圧を平滑化する手段と、前記平滑化した直流電圧を検出する手段とからなる電力変換装置の異常検出方法において、前記平滑化した前記直流電圧の瞬時値と設定値との比較により、前記３相交流電圧入力の１線が断線したと判断し、入力電源線の断線を検出する。【選択図】　　図１
2004056893.tif 000002
【特許請求の範囲】
【請求項１】
ＡＣサーボドライバ３相交流電圧を入力電源とする電源入力手段と、前記３相交流電圧を整流する整流手段と、前記整流手段による整流後の直流電圧を平滑化する手段と、前記平滑化した直流電圧を検出する手段とからなる電力変換装置の異常検出方法において、
前記平滑化した前記直流電圧の瞬時値と設定値との比較により、前記３相交流電圧入力の１線が断線したと判断し、入力電源線の断線を検出することを特徴とする電力変換装置の異常検出方法。
【請求項２】
直流電圧の変化の割合と頻度に基づいて、平滑化用コンデンサに流れるリップル電流を求め、平滑回路用コンデンサの寿命を推定することを特徴とする請求項１記載の電力変換装置の異常検出方法。
【発明の詳細な説明】
【０００１】
【発明の属する技術分野】
本発明は、ＡＣサーボドライバなどの電力変換装置へ交流電圧を供給する３相交流電源の各相のうちのいずれか１相の欠相を検出する電力変換装置の３相電源欠相検出方法および平滑回路用コンデンサの寿命推定方法に関する。
【０００２】
【従来の技術】
３相交流電源から供給される３相交流電圧を入力してそれを直流電圧に変換する電力変換装置では、３相交流電源の各相のうちのいずれか１相の欠相が発生した状態でそのまま運転を続けた場合、変換された直流電圧の値は大きく脈動するため、正常な運転を行うことが困難となり、装置の信頼性が著しく低下する。そのため、このような電力変換装置では、３相交流電源の各相のうちのいずれか１相の欠相を何らかの方法で検出し、欠相が検出された場合には、運転を停止するように設計されている。なぜならば入力電源線が１相断線した場合、電源の供給が不完全に行われることになり、平滑化用に入っているコンデンサの充放電電流が許容値を超えて、コンデンサの劣化を招くからである。
【０００３】
従来、入力電源線の断線検出は、商用の３相電源電圧の入力電圧値を監視することにより行っている。断線による従来の欠相電圧検出装置を図４に示す。図において、１は全波整流ブリッジ回路からなる整流手段、２は整流手段の出力電圧を平滑する電解コンデンサからなる平滑化手段、Ｐは正側直流母線、Ｎは負側直流母線、５はフォトカプラを用いた絶縁回路を備えた電源電圧検出手段である。正側直流母線Ｐ、負側直流母線Ｎは直流電圧から可変周波の可変電圧に電力変換するインバータ部に接続され、インバータ出力は負荷であるサーボーモータ等に接続される。
【０００４】
３相交流電源の各相のうちのいずれか１相の欠相を検出する従来の技術としては、以下に示すようなものがある。まず、特開昭５２−２３６４１号公報には、３相交流電源の各相と中性線との間に、フォトカプラのような絶縁回路を有する電圧検出手段である検出チャネルを各相毎に備え、各検出チャネルの出力をオア回路に入力し、そのオア回路の出力を単安定マルチバイブレータに入力して、一定時間だけ３相交流電源の各相のうちのいずれか１相が欠相していることを示す欠相検出信号の出力を保持する３相電源欠相検出回路が記載されている。
また、特開平５−６８３２７号公報には、３相交流電源の各相間にフォトカプラのような絶縁回路を有する電圧検出手段を備え、各電圧検出手段の出力信号を１つの信号にまとめ、その信号の積分値を求め、その積分値と基準値とを比較して欠相か否かを判断する３相電源欠相検出回路が開示されている。
【０００５】
【発明が解決しようとする課題】
上述した従来の技術は、商用の３相電源電圧入力を監視するため、特別にフォトカプラ等からなる３個の交流電圧監視手段が必要であった。このため３個の交流電圧監視手段を入れることにより、サーボモータの駆動装置であるサーボドライバは大型になり、コストもかかっていた。
本発明はこのような問題点に鑑みてなされたものであり、その目的とするところは、余計な部品の追加無しに、３個の交流電源電圧入力の監視手段を用いないで商用の電源電圧の欠相を検出する欠相検出方法を提供し、サーボドライバを小型化することにある。また、電力変換装置の平滑回路用コンデンサの寿命を推定することを第二の目的とする。
【０００６】
【課題を解決するための手段】
本発明は上記問題を解決するため、ＡＣサーボドライバ３相交流電圧を入力電源とする電源入力手段と、前記３相交流電圧を整流する整流手段と、前記整流手段による整流後の直流電圧を平滑化する手段と、前記平滑化した直流電圧を検出する手段とからなる電力変換装置の異常検出方法において、
前記平滑化した前記直流電圧の瞬時値と設定値との比較により、前記３相交流電圧入力の１線が断線したと判断し、入力電源線の断線を検出するものである。
また、直流電圧の変化の割合と頻度に基づいて、平滑化用コンデンサに流れるリップル電流を求め、平滑回路用コンデンサの寿命を推定するものである。
直流電圧の監視は、過電圧異常検出に行っている手段を流用できる。
【０００７】
【発明の実施の形態】
本発明を図に基づいて説明する。図１は本発明の実施例である。図４の従来の技術で説明した同一名称には同一符号を付けできるだけ重複説明を省略する。本発明の図１が従来と異なる部分は、交流電源電圧検出手段５をなくしていることと、全波整流ブリッジ回路からなる整流手段１の直流側出力の電圧を検出する電圧検出手段３、前記電圧検出手段３の検出電圧を監視する電圧値監視手段４を備えた部分である。一般に直流中間回路を有するＤＣ／ＡＣ変換をするインバータを備えた電力変換装置では負荷電動機が発電機として動作したときは前記直流中間回路である平滑化手段にある電解コンデンサに負荷側からインバータ側へと電力が供給されるため、直流中間回路の電圧である直流母線ＰＮ間の電圧が上昇する。このため直流母線ＰＮ間の電圧の実効値を常時検出監視している。
【０００８】
本発明の電圧検出手段３、前記電圧検出手段３の検出電圧を監視する電圧値監視手段４はこの直流母線ＰＮ間の電圧の監視手段の機能を兼用できる。電圧検出手段４は図示しないＣＰＵからなる演算手段によって事前に設定している正常下限電圧Ｖｓと検出電圧を比較することにより、検出電圧が正常下限電圧Ｖｓ以下のときは電源電圧の欠相と判断し、インバータ部の主回路トランジスタのベースをブロックすると共に図示しない商用電源電圧の入力を電磁開閉器等で遮断する。前記ＣＰＵは電力変換装置の主回路を制御する制御部にあるＣＰＵを兼用することができる。
【０００９】
図２は入力電源線が正常に接続されている場合のサーボモータ運転時の電圧波形である。Ｖｓは平滑化後の正常下限電圧，Ｖｒは平滑化前の電圧波形、Ｖｃは平滑化後の電圧波形、Ｖｐは平滑化後のピーク電圧である。図２のように、入力電源線が正常に配線されている場合、平滑化後の直流電圧値は、正常下限電圧値以下には下がらない。電源をＯＦＦした場合、平滑化後の直流電圧値は、欠相検出下限電圧まで下がる。１相欠相した場合、図３のように、平滑化後の直流電圧値は、正常下限電圧値からピーク電圧までの電圧変化を繰り返す。すなわち、平滑化後の直流電圧値が、正常下限電圧値からピーク電圧までの電圧変化を繰り返す場合を欠相と判断して、警告を出すことができる。
【００１０】
図３は本発明による入力電源線中の１相が断線により１相が欠相した場合のサーボモー夕運転時の電圧波形である。Ｖｃ１は欠相時の平滑化後の電圧波形である。平滑化後のピーク電圧Ｖｐは不変であるが、欠相検出下限電圧ＶＬは、平滑化後の正常下限電圧Ｖｓより小さな値になる。これから欠相を判断することができる。
また、前記直流中間回路の直流電圧の変化の割合、頻度より、平滑化用コンデンサに流れるリップル電流を求めれば、コンデンサの寿命を推定することができる。直流電圧の変化の割合、頻度に関するデータは電圧検出手段３の出力電圧信号をＡＤ変換し電圧監視手段に入力することで実行できる。前記出力電圧信号としては瞬時値を常時サンプリングする。
【００１１】
【発明の効果】
以上述べたように、本発明によれば余計な部品の追加無しに３個の交流電源電圧入力の監視手段を用いないで、商用の電源電圧の欠相を検出する欠相検出方法を提供し、サーボドライバを小型化することができる。また、電力変換装置の平滑回路用コンデンサの寿命を推定することができる。
【図面の簡単な説明】
【図１】本発明の構成を示す。
【図２】本発明で、入力電源線が正常に接続されている場合のサーボモータ運転時の電圧波形である。
【図３】本発明で入力電源線の１相が断線している場合のサーボモータ運転時の電圧波形である。
【図４】従来の構成を示す。
【符号の説明】
１　整流手段
２　平滑化手段
３　電圧検出手段
４　電圧値監視手段
５　交流電源電圧検出手段
Ｐ　正側直流母線
Ｎ　負側直流母線
Ｖｒ　平滑化前の電圧波形
Ｖｃ　平滑化後の電圧波形
Ｖｃ１　欠相時の平滑化後の電圧波形
Ｖｐ　平滑化後の正常下限電圧
Ｖｓ　平滑化後のピーク電圧
ＶＬ　　欠相検出下限電圧
【図１】
2004056893.tif 000003
【図２】
2004056893.tif 000004
【図３】
2004056893.tif 000005
【図４】
2004056893.tif 000006